(57)【要約】【課題】簡単かつ確実に医療器具の先端部のみを洗浄することができる医療器具先端部洗浄ユニットを提供する。【解決手段】挿抜方向Ｓに沿って、一端側及び他端側に開口部２ａ、２ｂが形成された先端部が挿入されるケース部材２と、開口部２ａに構成された先端部の挿入口と、他端側の開口部２ｂを塞ぐように設けられた仕切り薄膜３と、内部４ｉに薬液Ｍが貯留されるとともに、仕切り薄膜３により薬液Ｍの供給口４ｋが塞がれた薬液貯留ケース４、薬液貯留ケース４内に設けられた、挿抜方向Ｓにおいて、仕切り薄膜３に対して薬液貯留ケース４が圧縮された際、供給口４ｋを介して仕切り薄膜３を突き破り、薬液貯留ケース４内の薬液Ｍをケース部材２内に供給し、該ケース部材２内に挿入された先端部を、ケース部材２内において薬液Ｍに浸漬させる突起部５と、を具備したことを特徴とする。【選択図】図１
2010005030.tif 000002
【特許請求の範囲】
【請求項１】
医療器具の体腔内に挿入される挿入部の先端部を洗浄する医療器具先端部洗浄ユニットであって、
前記先端部の挿抜方向に沿って、一端側及び該一端側に対向する他端側に開口部が形成された前記先端部が挿入されるケース部材と、
前記ケース部材における前記一端側の前記開口部に構成された前記先端部の挿入口と、
前記ケース部材における前記他端側において、該他端側の前記開口部を塞ぐように設けられた薄膜部と、
前記挿抜方向において、前記薄膜部に対し前記挿入口とは反対側に設けられた、内部に薬液が貯留されるとともに、前記薄膜部により前記薬液の供給口が塞がれた薬液貯留ケースと、
前記薬液貯留ケース内に設けられた、前記挿抜方向において、前記薄膜部に対して前記薬液貯留ケースが圧縮された際、前記供給口を介して前記薄膜部を突き破り、前記薬液貯留ケース内の前記薬液を前記ケース部材内に供給し、該ケース部材内に挿入された前記先端部を、前記ケース部材内において前記薬液に浸漬させる突起部と、
を具備したことを特徴とする医療器具先端部洗浄ユニット。
【請求項２】
前記ケース部材の前記一端側の前記開口部の内周部に、前記ケース部材内に前記先端部が挿入された際、前記先端部の外周に当接して前記先端部を保持するとともに、前記ケース部材内を液密にするシール部材が設けられていることを特徴とする請求項１に記載の医療器具先端部洗浄ユニット。
【請求項３】
前記突起部に形成された係止部と、
前記ケース部材の前記他端側の前記開口部の内周部に設けられた、前記薄膜部を保持するとともに、前記突起部によって前記薄膜部が破られた際、前記突起部の前記係止部が係止されることにより、前記薬液貯留ケースの圧縮状態を維持する被係止部と、
をさらに具備していることを特徴とする請求項１または２に記載の医療器具先端部洗浄ユニット。
【請求項４】
前記薬液貯留ケースは、前記挿抜方向に圧縮自在な、弾性を有するとともに柔軟性を有する部材を具備していることを特徴とする請求項１〜３のいずれか１項に記載の医療器具先端部洗浄ユニット。
【請求項５】
前記薬液貯留ケース内に貯留されている前記薬液を加温する加温ユニットをさらに具備していることを特徴とする請求項１〜４のいずれか１項に記載の医療器具先端部洗浄ユニット。
【発明の詳細な説明】
【技術分野】
【０００１】
本発明は、医療器具の体腔内に挿入される挿入部の先端部を洗浄する医療器具先端部洗浄ユニットに関する。
【背景技術】
【０００２】
近年、医療器具である内視鏡は、医療分野及び工業用分野において広く利用されている。医療分野において用いられる内視鏡は、細長い挿入部を体腔内に挿入することによって、体腔内の臓器を観察したり、必要に応じて内視鏡が具備する処置具の挿通チャンネル内に挿入した処置具を用いて各種処置をしたりすることができる。
【０００３】
医療分野の内視鏡は、特に検査及び治療を目的として体腔内に挿入されて使用されるものであるため、使用後、再度使用するためには洗浄消毒が必要となる。この使用済みの内視鏡を洗浄消毒する方法としては、例えば、内視鏡洗浄消毒装置（以下、単に洗浄消毒装置と称す）を用いて行う方法が周知である。
【０００４】
洗浄消毒装置を用いれば、内視鏡は、洗浄消毒装置の洗浄消毒槽内にセットされるのみで、内視鏡に対して、自動的に、洗浄、消毒、濯ぎ及び水切り等（以下、洗浄消毒工程と称す）を行うことができる。この際、内視鏡は、該内視鏡の外表面のみならず、内視鏡が内部に有する既知の送気送水管路、吸引管路、処置具挿通管路等の複数の内視鏡管路内に対しても洗浄液及び消毒液が供給されることにより洗浄消毒される。尚、洗浄消毒装置は、内視鏡のみならず、処置具等の各種医療器具も洗浄消毒することができる。
【０００５】
ところで、洗浄消毒装置における内視鏡の洗浄は、洗浄消毒槽に貯留された洗浄液に内視鏡が浸漬されるとともに、洗浄液に水流が発生されることにより行われる。
【０００６】
しかしながら、洗浄消毒装置を用いた洗浄のみでは、内視鏡の挿入部の先端部に設けられた対物レンズに送水を行う既知の送水ノズルや、内視鏡が側視型の内視鏡の場合、内視鏡内に挿通された処置具を先端部の側面から突出方向を可変させて突出させる既知の処置具起上台等の、先端部に設けられた各種部材に強固に付着した汚れを除去することができないといった問題があった。尚、これは、内視鏡の洗浄に、洗浄効果の高い洗浄液を用いると、内視鏡の部品及び洗浄消毒装置の部品が、洗浄液により劣化してしまうためである。
【０００７】
そこで、従来は、洗浄消毒装置を用いた洗浄に先立って、作業者が、洗浄ブラシ等を用いて、先端部を擦り洗いする予備洗浄を行って、先端部の各種部材に固着している汚れを予め除去した後、洗浄消毒装置を用いて洗浄を行っていた。
【０００８】
ところが、この手法では、予備洗浄は作業者が行うことから、作業者にとって大変煩雑である他、作業者毎に、予備洗浄度合いが異なってしまうといった問題があった。また、洗浄ブラシ等を用いた擦り洗いを行ったとしても、送水ノズルや鉗子起上台等の部品における入り組んだ部位に付着した汚れを除去し難いといった問題があった。
【０００９】
このような問題に鑑み、特許文献１には、洗浄消毒装置の洗浄消毒槽に、先端部が挿入される小洗浄槽を設け、該小洗浄槽内において、先端部のみを自動的に超音波洗浄またはブラシ洗浄する機能を有する洗浄消毒装置が開示されている。
【００１０】
また、特許文献２には、内周面に洗浄ブラシを具備する洗浄具本体内に、挿入部が作業者によって挿抜されることにより、先端部を含む挿入部が洗浄ブラシにより擦り洗いされる挿入部の洗浄具が開示されている。
【特許文献１】特開平５−２２８１１３号公報
【特許文献２】実開昭５５−１１６５２３号公報
【発明の開示】
【発明が解決しようとする課題】
【００１１】
しかしながら、特許文献１に開示された構成においては、洗浄消毒装置に、先端部を洗浄する小洗浄槽や、先端部を洗浄する専用の超音波発生部及び洗浄ブラシが設けられていることから、洗浄消毒装置の構成が複雑になる他、洗浄消毒装置の製造コストがアップしてしまうといった問題がある。
【００１２】
また、上述したように洗浄ブラシでは、先端部の部品における入り組んだ部位に付着した汚れを除去し難い。これは、特許文献２においても同様である。
【００１３】
また、ブラシ洗浄に加え、超音波洗浄を行ったとしても、先端部の部品における入り組んだ部位に付着した汚れを確実に除去できるか否かは定かではない。
【００１４】
さらに、特許文献２においては、洗浄具本体に対し、作業者が挿入部を挿抜しなければならないことから、上述したように、作業者毎によって、洗浄度合いが異なるといった問題もある。尚、以上のことは、内視鏡に限らず、処置具等の他の医療器具の先端部を洗浄する場合であっても同様である。
【００１５】
本発明の目的は、上記事情に鑑みてなされたものであり、簡単かつ確実に医療器具の先端部のみを洗浄することができる医療器具先端部洗浄ユニットを提供するにある。
【課題を解決するための手段】
【００１６】
上記目的を達成するため本発明による医療器具先端部洗浄ユニットは、医療器具の体腔内に挿入される挿入部の先端部を洗浄する医療器具先端部洗浄ユニットであって、前記先端部の挿抜方向に沿って、一端側及び該一端側に対向する他端側に開口部が形成された前記先端部が挿入されるケース部材と、前記ケース部材における前記一端側の前記開口部に構成された前記先端部の挿入口と、前記ケース部材における前記他端側において、該他端側の前記開口部を塞ぐように設けられた薄膜部と、前記挿抜方向において、前記薄膜部に対し前記挿入口とは反対側に設けられた、内部に薬液が貯留されるとともに、前記薄膜部により前記薬液の供給口が塞がれた薬液貯留ケースと、前記薬液貯留ケース内に設けられた、前記挿抜方向において、前記薄膜部に対して前記薬液貯留ケースが圧縮された際、前記供給口を介して前記薄膜部を突き破り、前記薬液貯留ケース内の前記薬液を前記ケース部材内に供給し、該ケース部材内に挿入された前記先端部を、前記ケース部材内において前記薬液に浸漬させる突起部と、を具備したことを特徴とする。
【発明の効果】
【００１７】
本発明によれば、簡単かつ確実に医療器具の先端部のみを洗浄することができる医療器具先端部洗浄ユニットを提供することができる。
【発明を実施するための最良の形態】
【００１８】
以下、図面を参照して本発明の実施の形態を説明する。尚、以下、医療器具は、内視鏡を例に挙げて説明する。
【００１９】
（第１実施の形態）
図１は、本実施の形態の医療器具先端部洗浄ユニットの断面図である。 
図１に示すように、医療器具先端部洗浄ユニット（以下、単に洗浄ユニットと称す）１は、ケース部材２と薬液貯留ケース４とから主要部が構成されており、１回の内視鏡１００の挿入部１０２の先端部１０１の洗浄毎に廃棄されるディスポーザブルなユニットとして構成されている。
【００２０】
ケース部材２は、内視鏡１００の挿入部１０２の先端部１０１を洗浄する際、先端部１０１が内部２ｉに挿抜方向Ｓに沿って挿入されるものであり、例えば、耐薬品性を有するステンレスや、プラスチック等から、挿抜方向Ｓに沿った一端側に先端部１０１の挿入口となる開口部２ａが形成されるとともに、他端側にも開口部２ｂが形成された、挿抜方向Ｓに沿って細長な筒状に形成されている。
【００２１】
ケース部材２の開口部２ｂの内周部に、薬液貯留ケース４の後述する突起部５の係止部５ｋが係止される、リング状の被係止部６が設けられており、被係止部６の開口には、開口部２ｂを塞ぐように、ポリエチレン等の耐薬品性を有する材料から形成された薄膜部である仕切り薄膜３が被係止部６に保持されて設けられている。尚、被係止部６は、耐薬品性を有する材料、例えばステンレスやプラスチックから形成されている。
【００２２】
ケース部材２の開口部２ａの内周部に、ケース部材２の内部２ｉに先端部１０１が挿入された際、先端部１０１の外周に当接して先端部１０１を保持するとともに、ケース部材２の内部２ｉを液密にし、薬液貯留ケースが後述する手法により圧縮された際、内部２ｉのエアＡ（図３参照）を、ケース部材２外に排出する、例えばゴムから形成された耐薬品性を有するシール部材であるシール弁７が設けられている。
【００２３】
薬液貯留ケース４は、ケース部材２の仕切り薄膜３に対し、開口部２ａとは反対側（以下、底部側と称す）に設けられており、挿抜方向Ｓに沿った、該挿抜方向Ｓに圧縮自在であり、弾性を有するとともに柔軟性を有する部材、例えばゴムから形成された蛇腹部材４ｊと、該蛇腹部材４ｊの底部側の開口を塞ぐ押し込み板４ｔとから主要部が構成されている。尚、押し込み板４ｔは、プラスチックやステンレス等の耐薬品性を有する材料から形成されており、蛇腹部材４ｊは、シリコンゴム等の耐薬品性を有する材料から形成されている。
【００２４】
蛇腹部材４ｊは、仕切り薄膜３に対して挿抜方向Ｓに沿って薬液貯留ケース４が圧縮された際、挿抜方向Ｓに沿って折り畳まれて圧縮できるように構成されている。
【００２５】
また、薬液貯留ケース４の内部４ｉに、アルカリ洗剤、酵素系洗剤等の薬液である洗浄液Ｍが貯留されている。また、薬液貯留ケース４の仕切り薄膜３側の供給口４ｋは、薄膜３によって塞がれている。尚、アルカリ洗剤としては、ＰＨ値が高いアルカリ洗剤程、洗浄効果が高いことが知られている。
【００２６】
さらに、薬液貯留ケース４の内部４ｉにおける押し込み板４ｔに、例えば２本の突起部５が、挿抜方向Ｓに沿って、供給口４ｋ側に起立するよう設けられている。尚、突起部５の本数は、２本に限定されない。また、各突起部５も、耐薬品性を有する、プラスチックやステンレス等の材料から形成されている。
【００２７】
各突起部５は、ケース部材２の内部２ｉに内視鏡１００の先端部１０１が挿入されるとともに、仕切り薄膜３に対して挿抜方向Ｓに沿って薬液貯留ケース４が、蛇腹部材４ｊが折り畳まれて圧縮された際、供給口４ｋを介して仕切り薄膜３を突き破り、薬液貯留ケース４の内部４ｉに貯留された洗浄液Ｍを、ケース部材２の内部２ｉに供給し、先端部１０１をケース部材２の内部２ｉにおいて、洗浄液Ｍに浸漬させるものである。
【００２８】
尚、各突起部５の供給口４ｋ側の先端部は、それぞれ槍状に形成されており、各突起部５の先端部に、仕切り薄膜３に対して挿抜方向Ｓに沿って薬液貯留ケース４が、蛇腹部材４ｊが折り畳まれて圧縮され、各突起部５によって仕切り薄膜３が破られた際、ケース部材２の被係止部６に係止して、薬液貯留ケース４の圧縮状態を維持する係止部５ｋが形成されている。
【００２９】
次に、このように構成された本実施の形態の作用について、図２、図３を用いて説明する。図２は、図１のケース部材の内部に、内視鏡の挿入部の先端部が挿入された状態を示す洗浄ユニットの断面図、図３は、図２の薬液貯留ケースが仕切り薄膜に対して挿抜方向に圧縮され、突起部により仕切り薄膜が破られて、薬液貯留ケース内の洗浄液がケース部材内に供給された状態を示す洗浄ユニットの断面図である。
【００３０】
先ず、使用済みの内視鏡１００の挿入部１０２の先端部１０１を洗浄する場合には、図２に示すように、先端部１０１が、洗浄ユニット１のケース部材２の内部２ｉに挿入される。
【００３１】
この際、開口部２ａに設けられたシール弁７が先端部１０１の外周面に当接されることにより、先端部１０１はケース部材２に保持されるとともに、ケース部材２の内部２ｉは、液密状態となる。
【００３２】
次いで、図３に示すように、作業者によって押し込み板４ｔが把持され、挿抜方向Ｓに沿って、薬液貯留ケース４が、仕切り薄膜３に対して、蛇腹部材４ｊが折り畳まれるよう圧縮される。
【００３３】
その結果、薬液貯留ケース４の内部４ｉに設けられた各突起部５によって、仕切り薄膜３が突き破られることにより、内部４ｉに貯留された洗浄液Ｍが、ケース部材２の内部２ｉに供給される。また、ケース部材２の内部２ｉに溜まっていたエアＡは、洗浄液Ｍの供給に伴い、洗浄液Ｍの圧力で、シール弁７を介してケース部材２外に排出される。
【００３４】
この際、各突起部５に設けられた係止部５ｋが、開口部２ｂに設けられた被係止部６に係止されることにより、薬液貯留ケース４の圧縮状態が維持される。
【００３５】
その後、設定時間、ケース部材２の内部２ｉにおいて、先端部１０１が洗浄液Ｍに浸漬されることにより、先端部１０１の汚れは、例えば処置具起上台や送水ノズルの入り組んだ箇所の汚れまで、確実に洗浄される。
【００３６】
これは、洗浄液Ｍに、アルカリ洗剤、酵素系洗剤等の、通常、洗浄消毒装置に用いる洗浄液よりも、洗浄効果の高い洗浄液が用いられているため、ブラシ等による擦り洗いなしでも、十分汚れを化学的に除去することができる、具体的には、汚れの主成分となるタンパク質がより分解しやすくなるためである。
【００３７】
尚、先端部１０１は、通常、耐薬品性を有する材料、例えば硬質なプラスチックやステンレスから構成され、内視鏡１００の他の部品よりも耐薬品性に優れた材料から構成されていることから、先端部１０１を洗浄効果の高い洗浄液に浸漬させても、先端部１０１が劣化してしまうことがない。
【００３８】
先端部１０１の洗浄終了後、先端部１０１は、ケース部材２の内部２ｉから抜去され、内部２ｉの洗浄液Ｍが処理された後、洗浄ユニット１は廃棄される。この際、上述したように、薬液貯留ケース４は、蛇腹部材４ｊが折り畳まれて圧縮されていることから、外観から、作業者は、洗浄ユニット１が使用済みであることが容易に認識できる。
【００３９】
尚、先端部１０１の洗浄後は、内視鏡１００は、洗浄消毒装置において、洗浄消毒されるか、先端部１０１以外の挿入部１０２の部位や操作部が拭き取られた後、消毒液中に浸漬されて、消毒処理が施される。
【００４０】
このように、本実施の形態においては、先端部１０１の洗浄を、該先端部１０１を洗浄ユニット１のケース部材２の内部２ｉに挿入し、仕切り薄膜３に対して薬液貯留ケース４を圧縮することによって、突起部５で仕切り薄膜３を突き破り、薬液貯留ケース４内の洗浄液Ｍをケース部材２の内部２ｉに供給することにより、内部２ｉにおいて、先端部１０１を洗浄液Ｍに浸漬させて行うと示した。また、洗浄液Ｍとしては、アルカリ洗剤、酵素系洗剤等が用いられると示した。
【００４１】
このことによれば、作業者は、先端部１０１を、ケース部材２の内部２ｉに挿入し、薬液貯留ケース４を圧縮して、所定時間放置するのみで、先端部１０１を確実に洗浄することができることから、簡単かつ確実に内視鏡１００の挿入部１０２の先端部１０１のみを洗浄することができる洗浄ユニット１を提供することができる。
【００４２】
また、先端部１０１の洗浄の際、作業者は、洗浄液Ｍに接触することがないことから、安全性を確保して先端部１０１の洗浄を行うことができる。
【００４３】
さらに、先端部１０１を洗浄するため、内視鏡１００全体を洗浄液Ｍに浸漬させる必要がないことから、挿入部１０２の先端部１０１以外の部位を洗浄液Ｍにより劣化させてしまうことがない他、洗浄液Ｍに用いる洗浄剤の使用量を従来よりも減らすことができる。
【００４４】
また、洗浄ユニット１は、１回の先端部１０１の洗浄終了後、廃棄されることから、先端部１０１を洗浄した後の汚れた洗浄液Ｍが、内視鏡１００の他の部位に接触してしまうことを防止することができる。
【００４５】
（第２実施の形態）
図４は、本実施の形態の洗浄ユニットの断面図である。 
この第２実施の形態の洗浄ユニットの構成は、上述した図１〜図３に示した第１実施の形態の洗浄ユニットと比して、薬液貯留ケースの底部側に加温ユニットが更に設けられている点が異なる。よって、この相違点のみを説明し、第１実施の形態と同様の構成には同じ符号を付し、その説明は省略する。
【００４６】
図４に示すように、本実施の形態における洗浄ユニット５０においては、薬液貯留ケース４の底部側に、加温ユニット１０が設けられている。
【００４７】
加温ユニット１０は、挿抜方向Ｓに沿った、該挿抜方向Ｓに圧縮自在であり、弾性を有するとともに柔軟性を有する部材、例えばゴムから形成された蛇腹部材１０ｊと、該蛇腹部材１０ｊの底部側の開口を塞ぐ押し込み板１０ｔとから主要部が構成されている。尚、押し込み板１０ｔは、プラスチックやステンレス等の耐薬品性を有する材料から形成されており、蛇腹部材１０ｊは、シリコンゴム等の耐薬品性を有する材料から形成されている。
【００４８】
また、加温ユニット１０の内部１０ｉにおいて、押し込み板４ｔの底部には、水等の液体Ｗが貯留された液体貯留袋１１が固定されており、また、押し込み板４ｔの底部には、液体貯留袋１１の内部において液体Ｗに浸漬されている、底部側に突出する突起部１２が設けられている。
【００４９】
さらに、加温ユニット１０の内部１０ｉにおいて、押し込み板１０ｔに、複数の石灰１３が設けられている。
【００５０】
次に、このように構成された本実施の形態の作用について、図５を用いて説明する。図５は、図４の薬液貯留ケースに対し、加温ユニットが圧縮された状態を示す洗浄ユニットの部分断面図である。
【００５１】
先ず、図５に示すように、作業者により押し込み板１０ｔが把持され、挿抜方向Ｓに沿って、加温ユニット１０が、薬液貯留ケース４に対して、蛇腹部材１０ｊが折り畳まれるよう圧縮される。
【００５２】
その後、液体貯留袋１１内に設けられた突起部１２によって、液体貯留袋１１が破られることにより、液体貯留袋１１内の液体Ｗは、加温ユニット１０の内部１０ｉに供給され、石灰１３に供給される。
【００５３】
その結果、石灰１３は発熱する。その後、石灰１３からは発熱した熱Ｈは、押し込み板４ｔを介して、薬液貯留ケース４の内部４ｉに貯留されている洗浄液Ｍに供給されることにより、洗浄液Ｍは加温される。
【００５４】
ここで、洗浄液Ｍを加温するのは、例えば洗浄液Ｍが酵素系洗剤の場合、酵素系洗剤は、４０℃〜６０℃において、最も活性化することから、加温して用いないと、十分な洗浄効果が発揮できないためである。尚、洗浄液Ｍ加温後の工程は、上述した第１実施の形態と同様である。
【００５５】
このように、本実施の形態においては、洗浄ユニット５０は、薬液貯留ケース４の底部側に、加温ユニット１０を具備していると示した。
【００５６】
このことによれば、加温ユニット１０を薬液貯留ケース４に対して圧縮して、突起部１２によって、液体貯留袋１１が破られ、加温ユニット１０内の石灰１３に、液体Ｗが供給されることによる発熱による熱Ｈにより、薬液貯留ケース４内の洗浄液Ｍは、加温されることから、洗浄液Ｍを、洗浄効果を発揮する温度まで十分加温することができるといった効果を有する。尚、その他の効果は、上述した第１実施の形態と同様である。また、洗浄液Ｍを加温する加温ユニットの構成は、上述の構成に限定されない。例えば、薬液貯留ケース４の底部側にヒータを設けることにより、洗浄液Ｍを加温しても構わない。
【００５７】
尚、以下、変形例を示す。 
本実施の形態においては、医療器具は、内視鏡１００を例に挙げて示したが、これに限らず、処置具等の他の医療器具に本実施の形態を適用しても良いことは勿論である。
【００５８】
また、本実施の形態においては、薬液は、洗浄液を例に挙げて示したが、これに限らず、消毒液であっても良いことは云うまでもない。
【００５９】
ところで、洗浄ブラシを用いて、内視鏡の先端部を予備洗浄する際、上述したように、送気管路や処置具起上台の入り組んだ部位に付着した汚れは、洗浄ブラシによる擦り洗いのみでは、除去し難いといった問題があった。
【００６０】
そこで、洗浄ブラシを用いても十分、先端部の汚れを除去出来る構成を、以下、図６に示す。図６は、洗浄ブラシに洗浄液を供給する洗浄液供給ユニットを洗浄ブラシの先端側とともに示す図である。
【００６１】
図６に示すように、洗浄ブラシ２０は、先端側にブラシ部２１を有しているとともに、基端側に、口金部２２を有している。尚、口金部２２の突出部位は、槍状に形成されている。
【００６２】
また、洗浄ブラシ２０の内部には、一端が口金部２２に開口し、他端がブラシ部２１に開口する洗浄液供給管路２０ｋが形成されている。
【００６３】
さらに、口金部２２には、供給口３０ｋが薄膜３１によって塞がれた、内部３０ｉに洗浄液Ｍが貯留された、ディスポーザブル式の洗浄液供給ユニット３０が、装着自在となっている。
【００６４】
このような構成によれば、口金部２２に洗浄液供給ユニット３０を装着すると、口金部２２の先端が、洗浄液供給ユニット３０の薄膜３１を突き破ることにより、洗浄液供給ユニット３０内の洗浄液Ｍは、供給口３０ｋ、洗浄液供給管路２０ｋを介して、ブラシ部２１に供給される。
【００６５】
このことにより、作業者は、洗浄液Ｍとともに、ブラシ部２１で、先端部を擦り洗いすることができることから、ブラシ部２１だけでは落とせなかった汚れを、洗浄液Ｍの供給により、効率よく落とすことができる。
【図面の簡単な説明】
【００６６】
【図１】第１実施の形態の医療器具先端部洗浄ユニットの断面図。
【図２】図１のケース部材の内部に、内視鏡の挿入部の先端部が挿入された状態を示す洗浄ユニットの断面図。
【図３】図２の薬液貯留ケースが仕切り薄膜に対して挿抜方向に圧縮され、突起部により仕切り薄膜が破られて、薬液貯留ケース内の洗浄液がケース部材内に供給された状態を示す洗浄ユニットの断面図。
【図４】第２実施の形態の洗浄ユニットの断面図。
【図５】図４の薬液貯留ケースに対し、加温ユニットが圧縮された状態を示す洗浄ユニットの部分断面図。
【図６】、洗浄ブラシに洗浄液を供給する洗浄液供給ユニットを洗浄ブラシの先端側とともに示す図。
【符号の説明】
【００６７】
１…洗浄ユニット（医療器具先端部洗浄ユニット）
２…ケース部材
２ａ…一端側開口部（挿入口）
２ｂ…他端側開口部
２ｉ…ケース部材内部
３…仕切り薄膜（薄膜部）
４…薬液貯留ケース
４ｋ…供給口
４ｉ…薬液貯留ケース内部
４ｊ…蛇腹部材
５…突起部
５ｋ…係止部
６…被係止部
７…シール弁（シール部材）
１０…加温ユニット
５０…洗浄ユニット（医療器具先端部洗浄ユニット）
１００…内視鏡（医療器具）
１０１…先端部
１０２…挿入部
Ｍ…薬液
Ｓ…挿抜方向
【図１】
2010005030.tif 000003
【図２】
2010005030.tif 000004
【図３】
2010005030.tif 000005
【図４】
2010005030.tif 000006
【図５】
2010005030.tif 000007
【図６】
2010005030.tif 000008